(57)【特許請求の範囲】
【請求項１】
金型設置スペース（３１）を備えたＣ型フレーム（３０）と、金型設置スペース（３１）の下方のフレーム（３０）に内蔵されるプレス駆動用シリンダ（４０）並びにプレスガイド機構（７０，７１）と、金型設置スペース（３１）の上部側に設けられている上型取付部材（５１）と、上記プレス駆動用シリンダ（４０）の先端に固定され、金型設置スペース（３１）内を上下動できる下型取付板（５０）と、金型設置スペース（３１）の後部側に設けられ、予備の金型（Ｂ，Ｃ）を収容できる少なくとも一つ以上の型棚（６０）とから構成され、上記プレス駆動用シリンダ（４０）を対象となる型棚（６０）の高さ位置まで移動させ、対象の金型（Ｂ，Ｃ）を手前側に引き寄せ、下型取付板（５０）上に載置した後、プレス駆動用シリンダ（４０）を上昇させ、上型取付部材（５１）に上型（Ｂ１，Ｃ１）、下型取付板（５０）に下型（Ｂ２，Ｃ２）を取り付けることで、型交換時にプレス駆動用シリンダ（４０）を活用したことを特徴とする簡易型プレス機。
【請求項２】
型棚（６０）の上部には、手動で金型を金型設置スペース（３１）側に搬送できる搬送手段（６２）が設けられていることを特徴とする請求項１に記載の簡易型プレス機。
【発明の詳細な説明】
【０００１】
【発明の属する技術分野】
この発明は、金型設置スペースを手前中央部に備えたＣ型フレームからなる簡易型プレス機に係り、特に、構造をコンパクト化でき、かつ駆動機構も簡素化でき、しかも、金型の交換作業が手際良く行なえる簡易型プレス機に関する。
【０００２】
【従来の技術】
図１０は自動車室内に設置されるドアトリムを示すもので、ドアトリム１は、ドアトリム本体２の表面側に装飾シート３を装着して意匠性を高める構成になっている。
【０００３】
そして、ドアトリム本体２に装飾シート３を圧着固定する際に使用するプレス機としては、図１１に示すように、小型汎用タイプのプレス機が通常使用されている。
【０００４】
このプレス機４は、金型設置スペース５ａを備えたＣ型フレーム５の上部側にプレス駆動用シリンダ６が設置され、このシリンダ６のピストンロッド先端に上型取付板６ａが取り付けられるとともに、金型設置スペース５ａの下部側に下型取付部材６ｂが設置され、上型ａが上型取付板６ａに取り付けられる一方、下型ｂが下型取付部材６ｂに取り付けられている。
【０００５】
そして、プレス駆動用シリンダ６の昇降操作時、上型取付板６ａを円滑にガイドするためのプレスガイド７が金型設置スペース５ａの後部側に設けられている。
【０００６】
更に、このプレス機４の後部側に、型交換装置８が設置されており、この型交換装置８には、その下部側に昇降式シリンダ９が設置され、この昇降式シリンダ９のピストンロッド先端に予備の金型ｃを載置するためのプレート９ａが備わっている。
【０００７】
従って、従来のプレス機４においては、圧着加工に必要な金型ａ，ｂをそれぞれ上型取付板６ａ，下型取付部材６ｂにボルト締め等により取り付けた後、プレス加工を行なっているが、型交換に際しては、プレス駆動用シリンダ６を最大限伸長させて上型取付板６ａを下死点まで下降させ、上型取付板６ａ，下型取付部材６ｂから金型ａ，ｂを取り外した後、型交換装置８の昇降式シリンダ９を動作させて、プレート９ａ上に載置されている予備の金型ｃを金型設置スペース５ａ側に搬送して行なっている。
【０００８】
【発明が解決しようとする課題】
このように、従来の小型汎用プレス機４においては、Ｃ型フレーム５を採用しているため、プレス機４の強度を確保するうえで、金型設置スペース５ａ後部側に図中符号ｄで示す多くのスペースを必要とするとともに、特に、型交換装置８を更にその後部側に設けるため、プレス機４の奥行きスペースが非常に大きくなるという欠点が指摘されている。
【０００９】
更に、型交換装置８で昇降式シリンダ９を駆動させる必要があり、プレス駆動用シリンダ６の制御と型交換装置８における昇降式シリンダ９の制御を併行して行なう必要があり、構造が複雑であり、かつ制御対象も多くなり、コストアップを招来する要因となっている。
【００１０】
また、型交換作業についても、型交換装置８内の昇降式シリンダ９を型交換に必要な高さまで必要ストローク上昇させて行なう必要があり、型交換に要する作業が面倒で、かつ時間がかかるなど、型交換作業性においても改善の余地があるとともに、予備の金型ｃは一組しか収容することができず、型収容性能においても満足のいくものではなかった。
【００１１】
この発明は、このような事情に鑑みてなされたもので、その目的とするところは、設置スペースが少なくて済み、かつ構造並びに駆動機構を簡素化できるとともに、型交換作業も手際良く行なえる簡易型プレス機を提供することにある。
【００１２】
【課題を解決するための手段】
上記目的を達成するために、請求項１に記載の簡易型プレス機は、金型設置スペースを備えたＣ型フレームと、金型設置スペースの下方のフレームに内蔵されるプレス駆動用シリンダ並びにプレスガイド機構と、金型設置スペースの上部側に設けられている上型取付部材と、上記プレス駆動用シリンダの先端に固定され、金型設置スペース内を上下動できる下型取付板と、金型設置スペースの後部側に設けられ、予備の金型を収容できる少なくとも一つ以上の型棚とから構成され、上記プレス駆動用シリンダを対象となる型棚の高さ位置まで移動させ、対象の金型を手前側に引き寄せ、下型取付板上に載置した後、プレス駆動用シリンダを上昇させ、上型取付部材に上型、下型取付板に下型を取り付けることで、型交換時にプレス駆動用シリンダを活用したことを特徴とする。
【００１３】
従って、請求項１に記載の発明によれば、プレス駆動用シリンダ並びにプレスガイド機構を金型設置スペースの下方側に設けるとともに、金型設置スペースの後部側に予備の金型を収容できる型棚を配置するという構成を採用したため、従来のデッドスペースを有効に利用できるとともに、プレス駆動用シリンダを型交換ラックレベルまで上昇させることにより、従来の型交換装置を廃止することができる。
【００１４】
本願の請求項２に記載の簡易型プレス機は、型棚の上部には、手動で金型を金型設置スペース側に搬送できる搬送手段が設けられていることを特徴とする。
【００１５】
従って、請求項２に記載の発明によれば、プレス駆動用のシリンダを型棚の位置まで上昇させれば、型棚上の予備の金型を下型取付板に位置するように手前側に引き寄せれば、簡単に予備の金型を位置決めさせることができる。
【００１６】
【発明の実施の形態】
以下、本発明に係る簡易型プレス機の実施形態について、添付図面を参照しながら詳細に説明する。
【００１７】
図１，図２は本発明に係る簡易型プレス機を使用して装飾シートを圧着固定してなるドアトリムを示すもので、図１はドアトリムの正面図、図２はドアトリムの断面図、図３乃至図５は本発明に係る簡易型プレス機の一実施形態を示すもので、図３は正面から見た構成説明図、図４は側面から見た構成説明図、図５は上面からみた構成説明図、図６乃至図９は本発明に係る簡易型プレス機を使用した型交換作業を示す各説明図である。
【００１８】
図１，図２において、自動車用ドアトリム１０は、トリムアッパー１１とトリムロア１２との上下二分割体から構成されており、トリムアッパー１１は、タルクを混入したＰＰ樹脂をモールドプレス成形により所要の曲面形状に成形された樹脂芯材１１ａの表面に、塩ビシート裏面にポリエチレンフォームを裏打ちした表皮材１１ｂを一体化して構成され、トリムロア１２は、ＰＰ樹脂の射出成形体からなり、ポケット用開口１２ａ，スピーカーグリル部１２ｂが形成されている。
【００１９】
更に、ドアトリム１０の商品価値を高めるために、トリムアッパー１１の表面には、クロスからなる装飾シート１３が圧着固定されており、このトリムアッパー１１に装飾シート１３を圧着固定する際に本発明に係る簡易型プレス機２０を使用する。この簡易型プレス機２０の構成について、図３乃至図５に基づいて説明する。
【００２０】
まず、この簡易型プレス機２０は、金型設置スペース３１を手前側中央に備えたＣ型フレーム３０と、金型設置スペース３１の下方中央部分のＣ型フレーム３０内に設置される油圧シリンダ等のプレス駆動用シリンダ４０と、金型設置スペース３１内に取り付けられる金型を固定するための型取付部材（下型取付板５０，上型取付部材５１）並びにＣ型フレーム３０の金型設置スペース３１の後部側に少なくとも一つ以上の予備の金型を収容できる型棚６０とから大略構成されている。
【００２１】
更に詳しくは、Ｃ型フレーム３０の下部は、複数の支持ブロック３２により支持されており、支持ブロック３２下面の四隅部には、脚部３３が位置し、脚部３３に植設したボルト３３ａが支持ブロック３２内に埋設されているナット３２ａ内に捩じ込まれ、この脚部３３を調整することにより、Ｃ型フレーム３０の鉛直姿勢を適正に維持できるように構成されている。
【００２２】
次に、プレス駆動用シリンダ４０は、ピストンロッド４１の先端に下型取付板５０が取り付けられており、この下型取付板５０は、Ｃ型フレーム３０の金型設置スペース３１内を所定ストローク上下動作するとともに、そのときのガイドを行なうために下型取付板５０のそれぞれ左右側には前後方向で所定ピッチ毎に複数のガイドロッド７０が下方側に延びて連結され、このガイド用ロッド７０は、Ｃ型フレーム３０の下部両側に内蔵されているガイドポスト７１内を摺動する。このガイドロッド７０とガイドポスト７１は、プレスガイド機構を構成する。また、上型取付部材５１は、Ｃ型フレーム３０の金型設置スペース３１の上部側のフレーム３０に固定されている。
【００２３】
次いで、Ｃ型フレーム３０の後部側には上下方向に間隔をおいて二つの型棚６０が設置されている。便宜上、上側の型棚６０ａ、下側の型棚６０ｂとして説明すると、各型棚６０ａ，６０ｂは、水平状に支持板６１が取り付けられており、この支持板６１上に左右方向に延びる複数のローラー６２が型搬送手段として設置され、このローラー６２上に載置される予備の金型がローラー６２の転動作用により手前側に引き出され、金型設置スペース３１側に引き寄せられる。
【００２４】
このように、本発明に係る簡易型プレス機２０は、プレス駆動用シリンダ４０並びにガイド機構７０，７１をフレーム３０の下部側に設けるとともに、Ｃ型フレーム３０の金型設置スペース３１後部側のデッドスペースに予備の金型を収容できる複数の型棚６０を設置するという構成であるため、従来デッドスペースとなっていた金型設置スペース３１の後部側を金型収容スペースとして有効に利用でき、かつ型交換装置を廃止できるため、構造の簡素化並びに省スペース化に大きく貢献できるという利点がある。
【００２５】
次いで、図６乃至図９に基づいて、本発明に係る簡易型プレス機２０を使用した型交換作業について、交換前の金型Ａ（Ａ１上型、Ａ２下型）、予備の金型Ｂ、Ｃ（Ｂ１，Ｃ１上型、Ｂ２，Ｃ２下型）として説明する。
【００２６】
まず、金型設置スペース３１には、上型Ａ１が上型取付部材５１に取り付けられているとともに、下型Ａ２は下型取付板５０に取り付けられており、二つの型棚６０ａ，６０ｂにはそれぞれ予備の金型Ｂ，Ｃが収容されている。
【００２７】
そして、金型Ａから金型Ｂに交換するには、図６に示すように、プレス駆動用シリンダ４０を動作させて下型Ａ２，下型取付板５０を最上方位置まで上昇させる。
【００２８】
このとき、上下型Ａ１，Ａ２は、製品厚みのクリアランスを保って、対峙している状態であり、上型Ａ１を上型取付部材５１から取り外し、その後、プレス駆動用シリンダ４０を動作させ、図７に示すように、上下型Ａ１，Ａ２を保持した下型取付板５０を最下方位置まで下降させる。そして、下型取付板５０から下型Ａ２を取り外して、上下型Ａ１，Ａ２を外部に搬送する。
【００２９】
その後、図８に示すように、プレス駆動用シリンダ４０を動作させて、下型取付板５０が上側の型棚６０ａに到達するまで下型取付板５０を上昇させる。そして、予備の金型Ｂを手前側に引き寄せ、下型取付板５０上に載置した後、図９に示すように、更にプレス駆動用シリンダ４０を動作させて、下型取付板５０を最上方位置まで持ち上げて、この状態で金型Ｂの上型Ｂ１を上型取付部材５１にボルト締めするとともに、下型Ｂ２を下型取付板５０にボルト締めすれば良い。
【００３０】
そして、図示はしないが、プレス駆動用シリンダ４０を動作させて下型取付板５０を最下方位置に位置させれば、金型Ａと金型Ｂとを型交換したことになる。
【００３１】
また、他方側の型棚６０ｂに収容された金型Ｃを交換するには、下型取付板５０，上型取付部材５１からそれぞれ上下型Ｂ１，Ｂ２を取り外した状態で下型取付板５１が最下方位置にあるとき、下側の型棚６０ｂとほぼ同一高さであるため、金型Ｃを手前側に引き寄せて、下型取付板５０に載置し、同様の工程でプレス駆動用シリンダ４０を動作させて金型Ｃを上昇させて上下型Ｃ１，Ｃ２を上型取付部材５１，下型取付板５０にボルト締めすれば良い。
【００３２】
このように、本発明に係る簡易型プレス機２０を使用すれば、プレス駆動用シリンダ４０を金型交換時に利用できるため、従来の型交換装置が廃止できることにより、構造が簡素化できるとともに、設置スペースも節約でき、しかも、型交換作業についても、手際良く行なえ、型交換作業性に優れ、かつ予備の金型を複数組収容できるという利点がある。
【００３３】
【発明の効果】
以上説明した通り、本発明に係る簡易型プレス機は、プレス駆動用シリンダをフレームの下部側に設置するとともに、プレス駆動用シリンダの動作により型交換ラックレベルまで型取付板を動作させることにより、従来の型交換装置を廃止することができ、しかも、Ｃ型フレームのデッドスペースを型棚として有効に利用できるため、プレス機の構造が簡素化できるとともに、設置スペースを大幅に節約できるという効果を有する。
【００３４】
更に、従来の型交換装置においては、予備の金型を単独でしか収容できなかったが、本発明に係る簡易型プレス機によれば、複数の型棚にそれぞれ予備の金型を複数組収容できるため、機能性に富むとともに、型交換に際しては、プレス駆動用シリンダを共用できるため、従来のように型交換装置側のシリンダを駆動させる必要がなく、簡単な操作で型交換作業を手際良く行なうことができるという効果を有する。
【図面の簡単な説明】
【図１】本発明に係る簡易型プレス機を使用して製作した自動車用ドアトリムを示す正面図。
【図２】図１中ＩＩ−ＩＩ線断面図。
【図３】本発明に係る簡易型プレス機の一実施形態を示す正面から見た構成説明図。
【図４】図３に示す簡易型プレス機を側面から見た構成説明図。
【図５】図３に示す簡易型プレス機を上面から見た構成説明図。
【図６】図３に示す簡易型プレス機の型交換作業における上型取外し状態を示す説明図。
【図７】図３に示す簡易型プレス機の型交換作業における下型取外し状態を示す説明図。
【図８】図３に示す簡易型プレス機の型交換作業における予備の金型の搬出状態を示す説明図。
【図９】図３に示す簡易型プレス機の型交換作業における予備の金型の取付状態を示す説明図。
【図１０】ドアトリムを示す正面図。
【図１１】従来のプレス機の構成を示す説明図。
【符号の説明】
１０  自動車用ドアトリム
１１  トリムアッパー
１３  装飾シート
２０  簡易型プレス機
３０  Ｃ型フレーム
３１  金型設置スペース
４０  プレス駆動用シリンダ
４１  ピストンロッド
５０  下型取付板
５１  上型取付部材
６０（６０ａ，６０ｂ）  型棚
６１  支持プレート
６２  ローラー
７０  ガイド用ロッド
７１  ガイドポスト
Ａ，Ｂ，Ｃ  金型
Ａ１，Ｂ１，Ｃ１  上型
Ａ２，Ｂ２，Ｃ２  下型
【図１】
0003611238.tif 000002
【図２】
0003611238.tif 000003
【図３】
0003611238.tif 000004
【図４】
0003611238.tif 000005
【図５】
0003611238.tif 000006
【図６】
0003611238.tif 000007
【図７】
0003611238.tif 000008
【図８】
0003611238.tif 000009
【図９】
0003611238.tif 000010
【図１０】
0003611238.tif 000011
【図１１】
0003611238.tif 000012